(57)【要約】【課題】  起動から撮影準備完了までの時間を短縮する。【解決手段】  撮像した静止画像及び或いは動画像を記録媒体に記録及び再生表示する画像処理装置であって、被写体を撮影する撮影手段と、撮影した被写体像を画像データに変換して記録媒体に記録する記録手段と、記録媒体の状態を検出する検出手段とを有し、撮影手段により撮影を行った後で、かつ記録手段による記録を行う前に、検出手段を用いて記録媒体の状態の検出を行う。【選択図】  図１
2005130392.tif 000002
【特許請求の範囲】
【請求項１】
撮像した静止画像及び或いは動画像を記録媒体に記録及び再生表示する画像処理装置であって、
被写体を撮影する撮影手段と、前記撮影した被写体像を画像データに変換して記録媒体に記録する記録手段と、記録媒体の状態を検出する検出手段とを有し、
前記撮影手段により撮影を行った後で、かつ前記記録手段による記録を行う前に、前記検出手段を用いて記録媒体の状態の検出を行うことを特徴とする画像処理装置。
【請求項２】
撮影動作を行う撮影モード、もしくは撮影以外のモードの設定を判別する判別手段とを有し、
撮影モード以外のモードが設定されていたときには、起動時に前記検出手段を用いて記録媒体の状態の検出を行うことを特徴とする請求項１に記載の画像処理装置。
【請求項３】
撮影以外のモードとは、再生表示を行う再生モードであることを特徴とする請求項２に記載の画像処理装置。
【請求項４】
撮影以外のモードとは、外部機器との接続を行う接続モードであることを特徴とする請求項２又は３に記載の画像処理装置。
【請求項５】
撮影モードで起動したときに特定の操作部材が押下されていない場合は、起動時に前記検出手段を用いて記録媒体の状態の検出を行うことを特徴とする請求項１〜４のいずれか１つに記載の画像処理装置。
【請求項６】
特定の操作部材とはシャッタースイッチであることを特徴とする請求項５に記載の画像処理装置。
【請求項７】
特定の操作部材とはメニューボタンであることを特徴とする請求項５に記載の画像処理装置。
【請求項８】
特定の操作部材とは画像表示スイッチであることを特徴とする請求項５に記載の画像処理装置。
【請求項９】
特定の操作部材とはセットボタンであることを特徴とする請求項５に記載の画像処理装置。
【請求項１０】
特定の操作部材とはマクロボタンであることを特徴とする請求項５に記載の画像処理装置。
【請求項１１】
特定の操作部材とは特定の情報を変更するためのボタンであることを特徴とする請求項５に記載の画像処理装置。
【請求項１２】
特定の操作部材とはフラッシュボタンであることを特徴とする請求項５に記載の画像処理装置。
【発明の詳細な説明】
【技術分野】
【０００１】
本発明は、静止画像や動画像を撮像、記録、再生する画像処理装置及び画像処理装置制御方法に関する。
【背景技術】
【０００２】
従来、固体メモリ素子を有するメモリカードを記録媒体として、静止画像や動画像を記録再生する電子カメラ等の画像処理装置は既に市販されている。このような電子カメラでは、撮影した画像を記録する記録媒体に、着脱可能な記録媒体を使用するものがある。着脱可能な記録媒体としては、コンパクトフラッシュ(登録商標)（登録商標）、ＳＤカード、マイクロドライブ、ｘＤピクチャーカード、スマートメディア、マルチメディアカードなどがある。
電子カメラでは、電源投入時に、まずこれらの記録媒体のチェックを行う。チェック内容としては、着脱可能な記録媒体が装着されているか、記録媒体に正しく読み書き可能であるか、などである。
【特許文献１】特開２００１−００８１６５号公報
【発明の開示】
【発明が解決しようとする課題】
【０００３】
このような従来の電子カメラ等の画像処理装置においては、起動してから撮影可能になるまでの時間が長いという問題点があった。起動後、すぐに撮影動作を行いたいという要望があった。
【課題を解決するための手段】
【０００４】
本発明に係る画像処理装置に於いては、第１に、撮像した静止画像及び或いは動画像を記録媒体に記録及び再生表示する画像処理装置であって、被写体を撮影する撮影手段と、前記撮影した被写体像を画像データに変換して記録媒体に記録する記録手段と、記録媒体の状態を検出する検出手段とを有し、前記撮影手段により撮影を行った後で、かつ前記記録手段による記録を行う前に、前記検出手段を用いて記録媒体の状態の検出を行うことを特徴とする。
【０００５】
第２に、撮影動作を行う撮影モード、もしくは撮影以外のモードの設定を判別する判別手段とを有し、撮影モード以外のモードが設定されていたときには、起動時に前記検出手段を用いて記録媒体の状態の検出を行うことを特徴とする。
【０００６】
第３に、撮影以外のモードとは、再生表示を行う再生モードであることを特徴とする。
【０００７】
第４に、撮影以外のモードとは、外部機器との接続を行う接続モードであることを特徴とする。
【０００８】
第５に、撮影モードで起動したときに特定の操作部材が押下されていない場合は、起動時に前記検出手段を用いて記録媒体の状態の検出を行うことを特徴とする。
【０００９】
第６に、特定の操作部材とはシャッタースイッチであることを特徴とする。
【００１０】
第７に、特定の操作部材とはメニューボタンであることを特徴とする。
【００１１】
第８に、特定の操作部材とは画像表示スイッチであることを特徴とする。
【００１２】
第９に、特定の操作部材とはセットボタンであることを特徴とする。
【００１３】
第１０に、特定の操作部材とはマクロボタンであることを特徴とする。
【００１４】
第１１に、特定の操作部材とは特定の情報を変更するためのボタンであることを特徴とする。
【００１５】
第１２に、特定の操作部材とはフラッシュボタンであることを特徴とする。
【００１６】
上記手段により、起動してから、撮影動作を行うまでの時間を短縮することが可能となる画像処理装置を提供することが可能となる。
【発明の効果】
【００１７】
本発明によれば、撮影モードで起動する時には、起動時に記録媒体のチェックをしないようにしたため、記録媒体にチェックする時間が不要なり、起動時間が短縮される。
【発明を実施するための最良の形態】
【００１８】
以下、本発明の実施例について説明する。
【実施例１】
【００１９】
以下、図面を参照して本発明の実施例１を説明する。図１は、本発明の実施例の構成を示す図である。
【００２０】
図１において、１００は画像処理装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００２１】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００２２】
２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、AE（自動露出）処理、ＥＦ（フラッシュプリ発光）処理を行っている。
【００２３】
さらに、画像処理回路２０においては、撮像した画像データを用いて所定の演算処理を行い、得られた演算結果に基づいてＴＴＬ方式のＡＷＢ（オートホワイトバランス）処理も行っている。
【００２４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２５】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２６】
２４は画像表示メモリ、２６はＤ／Ａ変換器、２８はＴＦＴ−ＬＣＤ等から成る画像表示部であり、画像表示メモリ２４に書き込まれた表示用の画像データはＤ／Ａ変換器２６を介して画像表示部２８により表示される。
【００２７】
画像表示部２８を用いて撮像した画像データを逐次表示すれば、電子ファインダー機能を実現することが可能である。
【００２８】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００２９】
３０は撮影した静止画像や動画像を格納するためのメモリであり、所定枚数の静止画像や所定時間の動画像を格納するのに十分な記憶量を備えている。
【００３０】
これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００３１】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３２】
４０は絞り機能を備えるシャッター１２を制御する露光制御手段であり、フラッシュ４８と連携することによりフラッシュ調光機能も有するものである。
【００３３】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３４】
４８はフラッシュであり、ＡＦ補助光の投光機能、フラッシュ調光機能も有する。
【００３５】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３６】
５０は画像処理装置１００全体を制御するシステム制御回路、５２はシステム制御回路５０の動作用の定数、変数、プログラム等を記憶するメモリである。
【００３７】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやLED、発音素子等の組み合わせにより構成されている。
【００３８】
また、表示部５４は、その一部の機能が光学ファインダー１０４内に設置されている。表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I／F動作表示、日付け・時刻表示、等がある。
【００３９】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００４０】
５６は電気的に消去・記録可能な不揮発性メモリであり、例えばＥＥＰＲＯＭ等が用いられる。６０、６１、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４１】
ここで、これらの操作手段の具体的な説明を行う。
【００４２】
６０はモードダイアルスイッチで、自動撮影モード、撮影モード、パノラマ撮影モード、再生モード、マルチ画面再生・消去モード、外部機器との接続モード等の各機能モードを切り替え設定することが出来る。
【００４３】
６１は電源スイッチで、画像処理装置１００の起動と終了を指示する。
【００４４】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４５】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４６】
６６は画像表示ＯＮ／ＯＦＦスイッチで、画像表示部２８のＯＮ／ＯＦＦを設定することが出来る。この機能により、光学ファインダー１０４を用いて撮影を行う際に、ＴＦＴ−ＬＣＤ等から成る画像表示部への電流供給を遮断することにより、省電力を図ることが可能となる。
【００４７】
６８はクイックレビューＯＮ／ＯＦＦスイッチで、撮影直後に撮影した画像データを自動再生するクイックレビュー機能を設定する。なお、本実施例では特に、画像表示部２８をＯＦＦとした場合におけるクイックレビュー機能の設定をする機能を備えるものとする。
【００４８】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００４９】
８０は電源制御手段で、電池検出回路、ＤＣ-ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ-ＤＣコンバータを制御し、必要な電圧を必要な期間、記録媒体を含む各部へ供給する。
【００５０】
８２はコネクタ、８４はコネクタ、８６はアルカリ電池やリチウム電池等の一次電池やNiCd電池やNiMH電池、Li電池等の二次電池、ACアダプター等からなる電源手段である。
【００５１】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５２】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５３】
インターフェース及びコネクタとしては、ＰＣＭＣＩＡカードやＣＦ（コンパクトフラッシュ(登録商標)）カード等の規格に準拠したものを用いて構成して構わない。
【００５４】
さらに、インタフェース９０及び９４、そしてコネクタ９２及び９６をＰＣＭＣＩＡカードやＣＦ（コンパクトフラッシュ(登録商標)）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００５５】
１０２は、画像処理装置１００のレンズ１０を含む撮像部を覆う事により、撮像部の汚れや破損を防止するバリアである保護手段である。
【００５６】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００５７】
１１０は通信手段で、RS２３２CやＵＳＢ、ＩＥＥＥ１３９４、Ｐ１２８４、ＳＣＳＩ、モデム、ＬＡＮ、無線通信、等の各種通信機能を有する。
【００５８】
１１２は通信手段１１０により画像処理装置１００を他の機器と接続するコネクタ或いは無線通信の場合はアンテナである。
【００５９】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。
【００６０】
２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００６１】
図２から図６を参照して、実施例１の動作を説明する。
【００６２】
図２は本実施例による画像処理装置１００の、起動時における記録媒体チェック処理のフローチャートである。電源投入時に行う記録媒体チェック処理の処理フローである。
システム制御回路５０は、電源投入時に、記録媒体チェックフラグをＯＦＦにする(Ｓ１０１)。なお、記録媒体チェックフラグの状態は、システム制御回路５０の内部メモリ或いはメモリ５２に記憶する。
【００６３】
システム制御回路５０は、モードダイアル６０の設定位置を判断し(Ｓ１０２)、モードダイアル６０が撮影モードに設定されていたならば何もしないで処理を終了する。一方、モードダイアル６０が撮影モード以外に設定されていたならば、記録媒体が正常であるかをチェックし(Ｓ１０３)、起動時の記録媒体チェック処理を終了する。Ｓ１０３の記録媒体チェック処理は、図４を用いて後述する。撮影モード以外のモードとしては、例えば、撮影した画像の再生表示を行う再生モードや、ＰCなどの外部機器と接続する接続モードがある。
【００６４】
図３は本実施例による画像処理装置１００の撮影・記録処理の処理フローである。シャッタースイッチＳＷ２が押されることにより、撮影・記録処理が行われる。
【００６５】
システム制御回路５０は、撮影を行った後(Ｓ２０１)、記録媒体のチェック処理を行う(Ｓ２０２)。撮影処理(Ｓ２０１)の詳細は図６を用いて後述する。記録媒体のチェック処理の詳細は図４を用いて後述する。記録媒体のチェック処理を行った後(Ｓ２０２)、記録媒体に問題が無ければ(Ｓ２０３)、記録処理(Ｓ２０４)に進む。記録処理(Ｓ２０４)の詳細については図７を用いて後述する。
【００６６】
このように、撮影モードでは、記録時に記録媒体のチェックを行うことによって、起動時に記録媒体のチェックを行う必要が無くなり、より早く画像処理装置１００を立ち上げることが可能となる。
【００６７】
図４は、図２のＳ１０３、および図３のＳ２０２における記録媒体チェック処理における処理フローを示す。
【００６８】
システム制御回路５０は、すでに記録媒体をチェックしたかどうかを判定するために、システム制御回路５０の内部メモリ或いはメモリ５２に記憶されている、記録媒体チェックフラグの判定を行う(Ｓ３０１)。記録媒体チェックフラグがＯＮの場合は、すでに記録媒体のチェック済みのため、何もしないで処理を終了する。一方、記録媒体チェックフラグがＯＦＦの場合は、記録媒体のチェックを行うために、Ｓ３０２に進む。システム制御回路５０は、記録媒体が装着されているかどうかを判定し(Ｓ３０２)、装着されていない場合は、表示部５４に警告メッセージを表示して(Ｓ３０６)、Ｓ３０７に進む。一方、記録媒体が装着されていた場合は、Ｓ３０３に進む。Ｓ３０３では、記録媒体が正常であるかどうかを判定する。例えば、記録媒体に、“ＰＳ.ｃｋ”という空のファイルを作成し、ファイルを作成することが出来たならば記録媒体は正常であると判定する。“ＰＳ.ｃｋ”という空ファイルを作成した後、空ファイル“ＰＳ.ｃｋ”を削除する。
【００６９】
つぎにシステム制御回路５０は、記録媒体の管理情報を取得する(Ｓ３０４)。記録媒体の情報としては、フォーマット形式や、空き容量、クラスタサイズ、記録媒体の種類、ディレクトリ構成、などがある。記録媒体の管理情報を取得した後(Ｓ３０４)、システム制御回路５０は空き容量が充分であるかどうかを判定する(Ｓ３０５)。空き容量が充分ではないときは、警告メッセージを表示して(Ｓ３０６)、Ｓ３０７に進む。一方、Ｓ３０５で空き容量が充分であったときは、記録媒体チェックフラグをＯＮにして(Ｓ３０７)処理を終了する。
【００７０】
Ｓ３０７で、記録媒体チェックフラグをＯＮにすることによって、２枚目以降の撮影動作時は記録媒体の管理情報を取得する必要が無くなり、撮影・記録処理が一枚目より早く終了する。
【００７１】
図５は、図３のＳ２０１における撮影処理の詳細なフローチャートを示す。
【００７２】
システム制御回路５０は、システム制御回路５０の内部メモリ或いはメモリ５２に記憶される測光データに従い、露光制御手段４０によって、絞り機能を有するシャッター１２を絞り値に応じて開放して撮像素子１０を露光する（Ｓ４０１、Ｓ４０２）。
【００７３】
フラッシュ・フラグによりフラッシュ４８が必要か否かを判断し（Ｓ４０３）、必要な場合はフラッシュを発光させる（Ｓ４０４）。
【００７４】
システム制御回路５０は、測光データに従って撮像素子１２の露光終了を待ち（Ｓ４０５）、シャッター１２を閉じて（Ｓ４０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（Ｓ４０７）。
【００７５】
設定された撮影モードに応じて、フレーム処理を行う必要があるならば（Ｓ４０８）、システム制御回路５０は、メモリ制御回路２２そして必要に応じて画像処理回路２０を用いて、メモリ３０に書き込まれた画像データを読み出して垂直加算処理や（Ｓ４０９）、色処理（Ｓ４１０）を順次行った後、メモリ３０に処理を終えた画像データを書き込む。
システム制御回路５０は、メモリ３０から画像データを読み出し、メモリ制御回路２２を介して画像表示メモリ２４に表示画像データの転送を行う（Ｓ４１１）。
【００７６】
一連の処理を終えたならば、撮影処理ルーチンＳ２０１を終了する。
【００７７】
図６は、図３のＳ２０４における記録処理の詳細なフローチャートを示す。
【００７８】
システム制御回路５０は、メモリ制御回路２２そして必要に応じて画像処理回路２０を用いて、メモリ３０に書き込まれた撮影画像データを読み出して撮像素子の縦横画素比率を１：１に補間する画素正方化処理を行った後（Ｓ５０１）、メモリ３０に処理を終えた画像データを書き込む。
【００７９】
そして、メモリ３０に書き込まれた画像データを読み出して、設定したモードに応じた画像圧縮処理を圧縮・伸長回路３２により行った後（Ｓ５０２）、インタフェース９０或いは９４、コネクタ９２或いは９６を介して、メモリカードやコンパクトフラッシュ(登録商標)カード等の記録媒体２００或いは２１０へ圧縮した画像データの書き込みを行う（Ｓ５０３）。記録媒体への書き込みが終わったならば、記録処理ルーチンＳ２０４を終了する。
【００８０】
図７から図９を参照して、起動直後の撮影処理において、撮影までの時間が短縮される様子を示す。
【００８１】
図７の(a)は、従来例である起動時に記録媒体のチェックを行った場合のシーケンスである。電源ＯＮと同時に、撮影を指示するシャッターＳＷ１、ＳＷ２が押されると、システム制御回路５０は、起動処理、記録媒体チェック処理、測距・測光処理、撮影、記録の順番で処理を行う。起動処理の詳細は図８を用いて、測距・測光処理の詳細は図９を用いて後述する。
【００８２】
図７の(b)は、本発明によるシーケンスである。電源ＯＮと同時に、撮影を指示するシャッターＳＷ１、ＳＷ２が押されると、システム制御回路５０は、起動処理、測距・測光処理、撮影、記録媒体チェック処理、記録の順番で処理を行う。撮影処理を行った後に、記録媒体チェック処理をおこなうことにより、より素早く撮影処理を行うことが可能となる。
【００８３】
図７の(a)(b)を比較すると明らかなように、記録媒体チェック処理を撮影後に行うことによって、記録媒体チェック処理の時間だけ早く撮影動作を行うことが可能となる。
【００８４】
図８は図７の起動処理の詳細な処理フローである。
【００８５】
Ｓ６１の電源ＳＷが押された、もしくは電池交換等の電源投入により、システム制御回路５０はフラグや制御変数等を初期化し（Ｓ６０１）、画像表示部２８の画像表示をＯＦＦ状態に初期設定する（Ｓ６０２）。システム制御回路５０は、電源制御手段８０により電池等により構成される電源８６の残容量や動作情況が画像処理装置１００の動作に問題があるか否かを判断し（Ｓ６０３）、問題があるならば表示部５４を用いて画像や音声により所定の警告表示を行い（Ｓ６０４）、処理を終了する。
【００８６】
電源８６に問題が無いならば（Ｓ６０３）、不揮発性メモリ５６に保存されている画像表示フラグの状態を判定し(Ｓ６０５)、画像表示フラグがＯＮであれば、画像表示部２８の画像表示をＯＮにし(Ｓ６０６)、さらに撮像した画像データを逐次表示するスルー表示状態に設定して(Ｓ６０７)、Ｓ６０８に進む。一方、画像表示フラグがＯＦＦであれば(Ｓ６０５)、何もしないでＳ６０８に進む。
【００８７】
なお、画像表示ＯＮ／ＯＦＦスイッチ６６により、画像表示のＯＮ／ＯＦＦを切り替えることが可能である。画像表示ＯＮ／ＯＦＦが切り替わるたびに、不揮発性メモリ５６に保存されている画像表示フラグのＯＮ／ＯＦＦ状態を変更する。不揮発性メモリ５６に、画像表示ＯＮ／ＯＦＦ状態を保存することによって、撮影モードで起動したときは、前回、画像表示ＯＮで画像処理装置１００を使用していた場合は画像表示ＯＮの状態で起動し、前回、画像表示ＯＦＦで画像処理装置１００を使用していた場合は画像表示ＯＦＦの状態で起動する。
【００８８】
次にシステム制御回路５０は、表示部５４を用いて画像や音声により画像処理装置１００の各種設定状態の表示を行う（Ｓ６０４）。なお、画像表示部２８の画像表示がＯＮであったならば、画像表示部２８も用いて画像や音声により画像処理装置１００の各種設定状態の表示を行う。
【００８９】
図４は、図７測距・測光処理の詳細なフローチャートを示す。シャッタースイッチＳＷ１が押されることにより、測距・測光処理が行われる。
【００９０】
システム制御回路５０は、撮像素子１４から電荷信号を読み出し、A／D変換器１６を介して画像処理回路２０に撮影画像データを逐次読み込む（Ｓ７０１）。この逐次読み込まれた画像データを用いて、画像処理回路２０はＴＴＬ（スルー・ザ・レンズ）方式のＡＥ（自動露出）処理、EF（フラッシュプリ発光）処理、ＡＦ（オートフォーカス）処理に用いる所定の演算を行っている。
【００９１】
なお、ここでの各処理は、撮影した全画素数のうちの必要に応じた特定の部分を必要個所分切り取って抽出し、演算に用いている。これにより、 ＴＴＬ方式のＡＥ、EF、ＡＷＢ、ＡＦの各処理において、中央重点モード、平均モード、評価モードの各モード等の異なるモード毎に最適な演算を行うことが可能となる。
【００９２】
画像処理回路２０での演算結果を用いて、システム制御回路５０は露出（ＡＥ）が適正と判断されるまで（Ｓ７０２）、露光制御手段４０を用いてＡＥ制御を行う（Ｓ７０３）。
【００９３】
ＡＥ制御で得られた測定データを用いて、システム制御回路５０はフラッシュが必要か否かを判断し（Ｓ７０４）、フラッシュが必要ならばフラッシュフラグをセットし、フラッシュ４８を充電する（Ｓ７０５）。
【００９４】
露出（ＡＥ）が適正と判断したならば（Ｓ７０２）、測定データ及び或いは設定パラメータをシステム制御回路５０の内部メモリ或いはメモリ５２に記憶する。
【００９５】
画像処理回路２０での演算結果及びＡＥ制御で得られた測定データを用いて、システム制御回路５０はホワイトバランス（ＡＷＢ）が適正と判断されるまで（Ｓ７０６）、画像処理回路２０を用いて色処理のパラメータを調節してＡＷＢ制御を行う（Ｓ７０７）。
【００９６】
ホワイトバランス（ＡＷＢ）が適正と判断したならば（Ｓ７０６）、測定データ及び或いは設定パラメータをシステム制御回路５０の内部メモリ或いはメモリ５２に記憶する。
【００９７】
ＡＥ制御及びＡＷＢ制御で得られた測定データを用いて、システム制御回路５０は測距（ＡＦ）が合焦と判断されるまで（Ｓ７０８）、測距制御手段４２を用いてＡＦ制御を行う（Ｓ７０９）。
【００９８】
測距（ＡＦ）が合焦と判断したならば（Ｓ７０８）、測定データ及び或いは設定パラメータをシステム制御回路５０の内部メモリ或いはメモリ５２に記憶し、測距・測光処理ルーチンを終了する。
【実施例２】
【００９９】
図１０を参照して実施例２の動作を説明する。図１０は実施例２による画像処理装置１００の、起動時における記録媒体チェック処理のフローチャートである。電源投入時に行う記録媒体チェック処理の処理フローである。Ｓ１０１、Ｓ１０２、Ｓ１０３の処理は、図２のＳ１０１、Ｓ１０２、Ｓ１０３と同じである。
【０１００】
システム制御回路５０は、電源投入時に、記録媒体チェックフラグをＯＦＦにする(Ｓ１０１)。なお、記録媒体チェックフラグの状態は、システム制御回路５０の内部メモリ或いはメモリ５２に記憶する。
【０１０１】
システム制御回路５０は、モードダイアル６０の設定位置を判断し(Ｓ１０２)、モードダイアル６０が撮影モードに設定されていたならば、シャッターＳＷが押されているかどうかを判定し(Ｓ８０１)、シャッタースイッチＳＷ１が押されていたならば、何もしないで処理を終了する。一方、シャッターＳＷが押されていない場合は、記録媒体が正常であるかどうかをチェックする(Ｓ１０３)。
【０１０２】
システム制御回路５０は、Ｓ１０２でモードダイアル６０が撮影モード以外に設定されていたならば、記録媒体が正常であるかどうかをチェックし(Ｓ１０３)、起動時の記録媒体チェック処理を終了する。
【０１０３】
起動時における記録媒体チェック処理以外は、実施例１と同様であり、ここでは特に説明しない。なお、実施例２においては、電源投入時に、シャッタースイッチＳＷ１が押されていたときは、起動時に記録媒体のチェック処理を行わないようにしている。画像処理装置１００の使用者が、特に素早く撮影を行いたいときだけシャッタースイッチＳＷ１を押しながら電源を投入することによって、素早く撮影を行いたいときだけ、撮影までの時間を短縮することが可能となる。
【０１０４】
また、実施例２においては、シャッタースイッチＳＷ１を押しながら電源を投入したときには、起動時に記録媒体チェック処理を行わないことにより、撮影までの時間を短縮するものとして説明を行ったが、他のどのようなボタンであっても構わない。例えば、メニューボタンを押しながら電源を投入したときには記録媒体のチェック処理を行わないようにしても構わない。また、メニューボタン以外のボタン、セットボタン、マクロボタン、＋ボタン、−ボタン、フラッシュボタン、画像表示ＯＮ／ＯＦＦスイッチなどでももちろん構わない。
【図面の簡単な説明】
【０１０５】
【図１】本発明の一実施例の構成ブロック図である。
【図２】本発明の実施例１による起動時の記録媒体チェック処理のフローチャートである。
【図３】本実施例の撮影・記録処理のフローチャートである。
【図４】本実施例の記録媒体チェック処理のフローチャートである。
【図５】本実施例の撮影ルーチンのフローチャートである。
【図６】本実施例の記録ルーチンのフローチャートである
【図７】本実施例の起動直後の撮影動作を示す図である。
【図８】本実施例の起動処理のフローチャートである。
【図９】本実施例の測距・測光ルーチンのフローチャートである。
【図１０】本発明の実施例２による起動時の記録媒体チェック処理のフローチャートである。
【符号の説明】
【０１０６】
１０：撮影レンズ  １２：シャッター  １４：撮像素子  １６：Ａ／Ｄ変換器
１８：タイミング発生回路  ２０：画像処理回路  ２２：メモリ制御回路
２４：画像表示メモリ  ２６：Ｄ／Ａ変換器  ２８：画像表示部  ３０：メモリ
３２：画像圧縮・伸長回路  ４０：露光制御手段  ４２：測距制御手段
４４：ズーム制御手段  ４６：バリア制御手段  ４８：フラッシュ
５０：システム制御回路  ５２：メモリ  ５４：表示部  ５６：不揮発性メモリ
６０：モードダイアルスイッチ  ６１：電源ＳＷ  ６２：シャッタースイッチＳＷ１
６４：シャッタースイッチＳＷ２  ６６：画像表示ＯＮ／ＯＦＦスイッチ
６８：クイックレビューＯＮ／ＯＦＦスイッチ  ７０：操作部
８０：電源制御手段  ８２：コネクタ  ８４：コネクタ  ８６：電源手段
９０：インタフェース  ９２：コネクタ  ９４：インタフェース  ９６：コネクタ
９８：記録媒体着脱検知手段
１００：画像処理装置  １０２：保護手段  １０４：光学ファインダ
１１０：通信手段  １１２：コネクタ（またはアンテナ）
２００：記録媒体  ２０２：記録部  ２０４：インタフェース  ２０６：コネクタ
２１０：記録媒体  ２１２：記録部  ２１４：インタフェース  ２１６：コネクタ
【図１】
2005130392.tif 000003
【図２】
2005130392.tif 000004
【図３】
2005130392.tif 000005
【図４】
2005130392.tif 000006
【図５】
2005130392.tif 000007
【図６】
2005130392.tif 000008
【図７】
2005130392.tif 000009
【図８】
2005130392.tif 000010
【図９】
2005130392.tif 000011
【図１０】
2005130392.tif 000012